(57)【要約】【目的】本発明は、家庭又は食堂等から出る生ごみを簡便に処理する生ゴミの醗酵容器を提供する。【構成】本発明の生ゴミの醗酵容器１０は、下部から空気の流入が可能で、上部から醗酵で生ずる水を含有の空気を排出可能に構成し、生ゴミと醗酵媒体を収納の収納体１００を醗酵させる。【選択図】　　　　図６
2004000869.tif 000002
【特許請求の範囲】
【請求項１】
生ゴミと醗酵媒体を収納の収納体を醗酵容器本体内で醗酵させる生ゴミの醗酵容器であり、
前記醗酵容器本体は、下部から空気の流入が可能で、上部から醗酵で生ずる水蒸気含有の空気を排出可能であることを特徴とする生ゴミの醗酵容器。
【請求項２】
醗酵容器本体に被せる蓋の天井体の裏面側に空間を形成し、醗酵容器本体内で発生の水蒸気含有の空気を、天井体の裏面側から蓋の側部に導いて排出可能であることを特徴とする請求項１の生ゴミの醗酵容器。
【請求項３】
収納体を載置可能に醗酵容器本体内に発熱体を設置することを特徴とする請求項１又は請求項２の生ゴミの醗酵容器。
【請求項４】
生ゴミと醗酵媒体を収納して、又は生ゴミと醗酵媒体を収納の収納体を醗酵容器本体に収納して醗酵させる生ゴミの醗酵容器であり、
醗酵容器本体を空気の通気が可能な通気枠体に装着し、
醗酵容器本体の上開口部を覆う蓋を下蓋と上蓋で構成し、前記下蓋は空気の通気が可能で、前記上蓋は空気の通気が不可であることを特徴とする生ゴミの醗酵容器。
【請求項５】
生ゴミと醗酵媒体を収納の収納体を醗酵容器本体に収納して醗酵させる生ゴミの醗酵容器であり、
この醗酵容器本体は開口部に通気可能な蓋を被せ、下部から空気の流入が可能であると共に前記蓋から醗酵で生ずる水蒸気含有の空気を排出可能であり、
前記蓋に高さ調整可能な不通気性のカバーを取り付けてなることを特徴とする生ゴミの醗酵容器。
【請求項６】
醗酵容器本体内に、生ゴミを収納可能な醗酵内袋を着脱自在に取り付けることを特徴とする請求項１から請求項５の何れか１項の生ゴミの醗酵容器。
【請求項７】
生ゴミと醗酵媒体を収納の醗酵内袋を醗酵容器本体に収納して醗酵させる生ゴミの醗酵容器であり、
前記醗酵容器本体は、開口部に通気可能な蓋を被せ、
醗酵容器本体の内側に曲折可能な支持体を設け、
この支持体は、前記醗酵容器本体を通気枠体に載置可能にすると共に、通気枠体から空気の流入を可能とすることを特徴とする生ゴミの醗酵容器。
【請求項８】
生ゴミと醗酵媒体を収納の収納体を醗酵容器本体に収納して醗酵させる生ゴミの醗酵容器であり、
通気枠体３２０の上に光透過性の収納本体３１０を置き、
光透過性の本体枠体３０１を収納本体３１０内に装着し、
収納本体３１０の側面を内側に織り込むと共に、カバー体３１８で開口部を閉鎖し、前記通気枠体３２０から流入の空気が収納本体３１０及び通気孔３３０から排出可能であることを特徴とする生ゴミの醗酵容器。
【発明の詳細な説明】
【０００１】
【発明の属する技術分野】
本発明は、家庭又は食堂等から出る生ゴミを簡便に処理できる生ゴミの醗酵容器に関する。
【０００２】
【従来の技術】
従来、家庭等からでる生ゴミの処理は、バケツ等に保管しておいて、ゴミ収集日にビニール袋に収納して廃棄物処理車によって処理しているし、又、近年、各家庭で処理可能な生ゴミ処理器を購入して、各家庭で処理をしている。
【０００３】
【発明が解決しようとする課題】
前記のように、廃棄物処理車による廃棄物の処理には、多大な労力がかかると共に、廃棄処分場の確保が問題となるし、バケツ等に保管している間に腐って悪臭の発生ともなる。
又、生ゴミ処理器には、種々の形式があり、高価なものから安価なものがあるが、使用に当って、使いやすさの点で改良の余地がある。
そこで、本発明は、各家庭等で簡便にできる生ゴミの醗酵容器を提供するものである。
【０００４】
【課題を解決するための手段】
請求項１の生ゴミの醗酵容器は、下部から空気の流入が可能で、上部から醗酵で生ずる水蒸気含有の空気を排出可能に構成することによって、生ゴミと醗酵媒体を収納の収納体を、悪臭等の発生を抑制して醗酵させることができる。
又、請求項２の生ゴミの醗酵容器は、醗酵容器本体に被せる蓋の天井体の裏面側に空間が形成してあり、醗酵容器本体内で発生の水蒸気含有の空気は、天井体の裏面側から空間を通って、蓋の側部から排出可能にすることによって、多量の空気が排出できるので、醗酵の促進を促すことができる。
【０００５】
請求項３の生ゴミの醗酵容器は、収納体を載置可能に醗酵容器本体内に発熱体を設置することによって、気温が低いときに醗酵を促進させることができる。
又、請求項４の醗酵容器は、生ゴミと醗酵媒体を直接に収納して、或いは、生ゴミと醗酵媒体を収納の収納体を収納して醗酵させるにあたって、醗酵容器本体を空気の通気が可能な通気枠体に装着し、醗酵容器本体の上開口部を覆う蓋を下蓋と上蓋で構成し、下蓋は空気の通気が可能で、上蓋は空気の通気が不可である。
そのため、簡便な構成で、醗酵に要する空気は通気枠体から醗酵容器本体内に入り、醗酵で生ずる水蒸気は下蓋から排出できて醗酵の促進を促すことができる。
【０００６】
請求項５の生ゴミの醗酵容器は、開口部に通気可能な蓋を被せ、下部から空気の流入が可能で、蓋から醗酵で生ずる水蒸気含有の空気を排出可能である。そして、蓋に高さ調整可能な不通気性のカバーを取り付けることによって、醗酵容器を屋外において醗酵させたとき、雨が降っても醗酵容器本体内に雨が入るのを防止するので、醗酵を阻害することがない。
又、請求項６の生ゴミの醗酵容器は、醗酵容器本体内に、生ゴミを収納可能な醗酵内袋を着脱自在に取り付けることによって、醗酵容器を汚すことなく醗酵させることができる。
請求項７の生ゴミの醗酵容器は、生ゴミと醗酵媒体を収納の醗酵内袋を醗酵容器本体に収納して醗酵させるものであり、醗酵容器本体に開口部に通気可能な蓋を被せ、醗酵容器本体の内側に曲折可能な支持体を設け、この支持体は醗酵容器本体を通気枠体に載置可能にすると共に、通気枠体から空気流入が可能である。そのため、醗酵容器本体は支持体を介して通気枠体に載置可能であると共に、醗酵容器本体を醗酵内袋から離脱させるとき、支持体がほぼ直線状になり、容易に取り外すことができる。
請求項８の醗酵容器は、通気枠体３２０の上に光透過性の収納本体３１０を置き、光透過性の本体枠体３０１を収納本体３１０内に装着する。そして、収納本体３１０の側面を内側に織り込むと共に、カバー体３１８で開口部を閉鎖すると、通気枠体３２０から流入の空気が収納本体３１０及び開口部３１３から排出可能である。
【０００７】
【発明の実施の形態】
図１は、生ゴミを一時的に醗酵する状態の断面を示し、収納体１００を一時容器（バケツ等）１０１に収納した状態である。
尚、この収納体１００（約３０リッタ）は、水蒸気を通気可能な不織布等で製作の袋状である。
尚、バケツ１０１の底には、収納体１００との間に空間を形成するために、石１０２が敷いてあるが、必ずしも必要でない。
又、収納体１００を収納のバケツ１０１は、生ゴミが出る台所の片隅においておき、収納体１００の底部に醗酵培土１２０ａ（高さ２〜３ｃｍ）を入れておくと、生ゴミが醗酵する過程で生ずる水を吸収する。
【０００８】
そして、前記の準備ができた後に、生ゴミ１２０と、醗酵媒体である醗酵培土１２０ａ、米ぬか１２０ｂ、の順に入れ（図１（Ｂ））、よくかき混ぜた後に、更に、醗酵培土１２０ａで覆い、蓋１０１ａをしておく。
尚、生ゴミ１２０、醗酵培土１２０ａ、米ぬか１２０ｂの割合は、３：２：０．１〜０．２程度が好ましい。
以下、同様に、発生する生ゴミ１２０、醗酵培土１２０ａ、米ぬか１２０ｂの順に入れ、よくかき混ぜた後に、醗酵培土１２０ａで覆い、蓋１０１ａをし、収納体１００が所定量になるまで行う。
以上の一時醗酵過程によって、生ゴミは収納体１００で醗酵する。
【０００９】
尚、多量の生ゴミが生じたときには、醗酵媒体（醗酵培土１２０ａ、米ぬか１２０ｂ）を生ゴミの量に対応して多く入れるか、生ゴミを少量毎に区分けし、前記工程を繰り返して処理をすることが、醗酵温度の低下を招来することなく、且つ、虫の発生を抑制できる。
又、根菜類、瓜類等分解し難い生ゴミや、里芋、玉葱の皮など乾燥気味の生ゴミは、高温の熱湯をかけて、熱い状態で、米ぬか、醗酵培土と共に混合して収納体に入れるのが望ましい。
又、水分が多いスイカの皮、悪臭の基になりやすい魚の粗、卵の殻などの生ゴミは、細かく切って醗酵培土を多くするのが望ましい。
【００１０】
前記醗酵培土（軽石、鹿沼土、赤玉土、腐葉土等）１２０ａには、生ゴミ醗酵過程に於て発生する水蒸気をできるだけ分散移行させる多孔質多空間を形成し好気醗酵を促進するものや、ゼオライト、木炭粉、活性炭、もみがら炭、多孔質陶磁片等を含有することによって臭いの吸着を行うものである。
又、この醗酵培土１２０ａに、腐葉土（醗酵菌として糸状菌、放線菌、バクテリア、きのこ菌等や臭い吸着や消臭作用があるポリフェノール等の消臭物質の供給源）を加えることが望ましいが、生ゴミの種類によって種々選択することはいうまでもない。
【００１１】
次に、前記収納体１００が所定量になった後には、熟成醗酵させる醗酵容器について説明する。図２は、醗酵容器を構成する部品であり、醗酵容器本体１０の上開口部を覆う蓋６０、醗酵容器本体１０、通気枠体４０である。
箱状の蓋６０は、光通過がよい透明又は半透明で、空気が通過可能な合成樹脂で製作の下蓋６０ａと、空気の通過が不可の材料で製作の上蓋６０ｂの２重蓋で構成してある。
尚、上蓋６０ｂは、堅固に製作してあり、下蓋６０ａの隅部は弾性体６３を付設して醗酵容器本体１０の開口部に密着可能になっている。
又、蓋６０が、下蓋６０ａと上蓋６０ｂで構成してあるのは、この間に、吸水性樹脂等による水吸収機能と活性炭等による不快な醗酵臭の吸着除去機能の少なくとも一方を備えるマット６５を挿入するためであり、このマット６５は保温機能も備える。
【００１２】
又、前記蓋６０は、図２（Ｂ）に示す構造の蓋９０であってもよい。
この蓋９０の天井体９０ａは不通気性の樹脂で製作してあり、この天井体９０ａの裏面側には、側部９０ｂへの通気性を確保可能な空間が、例えば、空気封入のエアキャップ９１を形成のシートが通気性を有するメッシュ材９２を介して取り付けて形成してある。
又、この蓋９０の側部９０ｂ内側には、綿や吸水性樹脂等による水吸収機能と活性炭等による不快な醗酵臭の吸着除去機能の少なくとも一方を備えるマット６５が取り付けてある。
従って、この蓋９０を醗酵容器本体１０に被せると、醗酵容器本体１０内の空気は蓋９０の裏面全体で受け入れて、エアキャップ９１で形成の空間を通って、側部９０ｂに流れ、マット６５から排出される。
【００１３】
次に、４角の筒状で折り畳み可能な醗酵容器本体１０（３０（Ｌ）×３０（Ｗ）×３５（Ｈ）ｃｍ）について、図３を参照して説明する。
この醗酵容器本体１０は、各面Ａ〜Ｄには芯材１３が内包状態で構成され、この芯材１３は、上板１３ａと下板１３ｂの間に仕切壁１３ｃで挿通孔１３ｄを形成し、断面係数が大きく強固で軽量である、所謂、段ボールプラスチックと称する部材や、その他、軽量なベニヤ板等を使用する。
【００１４】
そして、醗酵容器本体１０は、前記芯材１３で各面Ａ〜Ｄを強固に且つ曲折可能に形成するために、図３に示すように、稜部１６ａ〜１６ａ’に当る位置で隙間を形成して並べ、合成樹脂製（ポリエチレン、ポリプロピレン樹脂等）の上シート１１ａと下シート１１ｂで挟着し、上シート１１ａ（下シート１１ｂ）の両端部と、面ＡとＢ、ＢとＣ、ＣとＤ、ＤとＡの間の稜部１６ａ〜１６ａ’を縫合又はヒートシールや接着剤等で結合して形成する。
【００１５】
この醗酵容器本体１０の各面（前面、裏面、左右側面）Ａ〜Ｄは、前記芯材１３を内包しているため強固であり、箱状に立設させることができる一方、稜部１６ａ〜１６ｄは柔軟な上シート１１ａと下シート１１ｂが重ねた状態であるので曲折可能である。そのため、各稜部１６ａ〜１６ｄを曲折することによって、この醗酵容器本体１０は前面と右側面が、後面と左側面が合わさって、平坦状に折り畳むことができる。
尚、この醗酵容器本体１０には、後述の発熱体３０を取り付ける孔１５が形成してあり、この孔１５は、発熱体３０を装着しても、隙間を形成して空気が醗酵容器本体１０内に入ることができる大きさである。
【００１６】
又、この醗酵容器本体１０は、必ずしも折り畳み可能である必要はないし、醗酵容器本体１０の各面Ａ〜Ｄには、前記材質の他、他の材質で形成してもよいし、更に、保温材で覆うことが望ましい。
又、箱状の通気枠体４０は、前記醗酵容器本体１０の底部に内挿可能な大きさに形成され、側面（及び底部の隙間）から空気が流入し、上面から通気可能な合成樹脂シート等を張設して、収納体１００を載置可能にしてある。
【００１７】
又、冬場等において、醗酵温度が上がらない時に備えて、醗酵容器本体１０に形成の孔１５に装着して使用可能な発熱体３０について、図４に示す斜視図、図５（Ａ）（Ｂ）の断面図と回路図を参照して説明する。
支持体３３に載置の発熱体３０は、電源ボックス３１と発熱箱３２で構成してあり、発熱箱３２は熱伝導が良好な熱拡散板７０ａを上板として構成してある。そして、この熱拡散板７０ａの下には、５個のサーミスタ７１が熱伝導性シリコンラバー７２を介して固定してある。尚、この熱伝導性シリコンラバー７２は、熱拡散板７０ａと絶縁を図る。
【００１８】
又、前記サーミスタ７１は、キュリー温度（本例では９０゜Ｃの物を使用）付近で電気抵抗が急上昇するＰＴＣサーミスタを使用すると、自己制御の発熱体として作用するので、安全であると共に簡便な熱源として構成できる。
前記サーミスタ７１の電源回路は、電源プラグ７５、スイッチ７６、ヒューズ７７、及び温度ヒューズ７８（所定温度以上になると切断）で構成してあり、前記温度ヒューズ７８によって、より、安全性の向上を図っている。
【００１９】
次に、前記生ゴミ等で所定量になった収納体１００を、醗酵容器本体１０を用いて醗酵させる場合について説明する。
図６（Ａ）は、気温が比較的高い状態における処理であり、醗酵容器本体１０を通気枠体４０の上に載せ、この醗酵容器本体内に収納体１００を入れて、下蓋６０ａを閉じ、上蓋６０ｂを開いて屋外等におくと、太陽光で昇温されて醗酵に好都合となる。尚、上蓋６０ｂは空気の通過が不可の材料で製作してあるので、雨が降っても醗酵容器本体１０内に入らないので、雨が降ってきたときには上蓋６０ｂを閉じる。
そして、この状態を維持すると、収納体１００内で醗酵が始まり、空気は収納体１００の下部に設置の通気枠体４０から入り、醗酵で生成する水蒸気を含有の空気は、醗酵容器本体１０内を上昇し、通過可能な下蓋６０ａと不可の上蓋６０ｂで構成してある蓋６０の重ね合わせ下縁部から排出する。
【００２０】
以上のように、空気を醗酵容器本体１０の底部から取り入れて、上部から排出するという簡便な構成で、生ゴミの醗酵が可能である。即ち、空気は醗酵容器本体１０の底部に設置の通気枠体４０から入って醗酵に寄与し、醗酵で生ずる水は醗酵培土１２０ａで吸収されると共に、水蒸気となって蓋６０（下蓋６０ａ、上蓋６０ｂの間）から排出されるので、結露の発生が防止でき、醗酵温度が維持されると共に、悪臭の発生が抑制される。
【００２１】
尚、醗酵温度が、所定温度に上昇しないときには、図６（Ａ）に示すように、通気枠４０の下にマット６５を敷いたり、図６（Ｂ）に示すように、上蓋６０ｂと下蓋６０ａの間にマット６５を挿入したり、更には、醗酵容器本体１０の全体を毛布等で覆って昇温を図る。
又、醗酵過程で不快臭が排出される場合には、下蓋６０ａと上蓋６０ｂの間に吸臭機能を有するマット６５を挿入すると、昇温された空気は、通過可能な下蓋６０ａからマット６５を通り、上蓋６０ｂと下蓋６０ａの重ね合わせ下縁部から排出するので、悪臭はマット６５で吸着される。
【００２２】
又、前記蓋６０に替えて、蓋９０を使用すると、醗酵が促進されて望ましい。即ち、この蓋９０を使用すると、収納体１００内で醗酵が始まり、空気は収納体１００の下部に設置の通気枠体４０から入り、昇温された水蒸気含有の空気は、蓋９０に設けたメッシュ材９２を通り、エアキャップ９１で形成の通路を介して、蓋９０の側部に取り付けたマット６５を通過して、外部に排出される。
このように、蓋９０の裏面にメッシュ材９２とエアキャップ９１で通路が形成してあるので、この蓋９０の裏面全体が排出口として機能して、昇温された水蒸気含有の空気を多量に排出可能である。
従って、新たな空気の流入が円滑にでき、その結果、醗酵が促進され、悪臭の発生が抑制されるし、若し、悪臭が発生してもマット６５で除去できる。
【００２３】
又、気温が、更に低い、冬のときには、図６（Ｂ）に示すように、醗酵容器本体１０の底部に底枠体４１を設け、発熱体３０を装着して、この発熱体３０の上に、空気の通入を可能にする網体４４を載せて、この網体４４の上に収納体１００を載せて醗酵させる。この網体４４を発熱体３０の上に載せることによって、空間が形成され、醗酵に必要な空気を孔１５から取り入れることを可能にする。尚、この発熱体３０を使用することによって、醗酵温度の上昇を図ることができるし、更には、前記の要領でマット６５を使用したり、醗酵容器本体１０の全体を毛布等で覆って保温する。
尚、マット６５は時々乾燥させて、再利用する。
また、醗酵温度を５０℃以上に保持すると、不快虫が高温で生息不可能となり、植物生育に有害なかび菌（フザリュウム、リゾクトニア等）や有害な大腸菌などの発生を阻止でき、安全な堆肥化土を得ることができる。
【００２４】
次に、前記収納体１００の醗酵が完了したら、この収納体１００を風通しのよい雨のかからない箇所に吊したりして乾燥させる。
そして、収納体内の醗酵分解済みの生ゴミに、米ぬか又は廃食油、或いは双方をそれぞれ２０％位まで混ぜる。そして、この混合物と醗酵分解済みの生ゴミを１：１の割合に混ぜて、醗酵培土１２０ａとして再利用する。
又は、収納体内の醗酵分解済みの生ゴミに、鹿沼土や赤玉土を１：２に混ぜ合わせると、プランター等の植物生育用として利用できる。又、醗酵分解済みの生ゴミは未乾燥状態で、直接、畑にまいてもよい。
【００２５】
以上のように、生ゴミの処理方法は、図７に示すように、生ゴミと、醗酵媒体（米ぬかと醗酵培土）を収納体１００に入れて醗酵させる一時醗酵過程、次に、収納体１００を醗酵容器本体内で熟成醗酵させ、そして、収納体１００を乾燥させて、醗酵培土の再利用を図るか、植物生育用土として利用することを可能とする、簡便で且つ器材費が安価な処理方法である。
【００２６】
尚、前記バケツ１０１に替えて、底部から空気の取り入れが可能な、図２に示す醗酵容器本体１０等を使用し、この醗酵容器本体１０の底から空気を取り入れ、醗酵容器本体の上部から水蒸気含有の空気を排出するという良好な空気循環の状態で醗酵させてもよい。
又、前記袋状の収納体１００に替えて、即ち、収納体１００を使用しなくて、直接、後記で詳述する折り畳み可能、又は、折り畳み不能な箱状の特別容器５０に生ゴミと醗酵媒体を入れて醗酵させてもよい。
即ち、特別容器５０を通気枠体４０に載置し、前記蓋６０、９０を特別容器５０に被せて、特別容器５０内に生ゴミと醗酵媒体を入れて醗酵させると、空気は通気枠体４０から流入し、蓋６０、９０から排出して良好な醗酵ができる。
尚、外気が低いときには、特別容器５０の外周を毛布等で覆って昇温を図ったり、発熱体３０を使用する。
【００２７】
次に、図８は、折り畳み可能な特別容器５０の図であり、前記収納体１００、一時容器１０１、醗酵容器本体１０等に替えて使用することができる。この特別容器５０について、全体を示す図８（Ａ）、折り畳む姿態を示す（Ｂ）、製作を示す（Ｃ）、曲折芯材を示す（Ｄ）を参照して説明する。
この特別容器５０は、相対する面Ｅ、Ｇには曲折可能に曲折芯材５２を使用する。この曲折芯材５２は、所謂、段ボールプラスチックと称され、折り畳む位置に対応して、僅かな幅でもって、薄い下板（曲折部）５３ａを残す状態で、切断部５３が形成してある。尚、この段ボールプラスチックにポリプロピレンを使用すると、前記下板（曲折部）５３ａにおいて、複数回、折ったり元に戻したりする操作をしても、切断しない、所謂、ヒンジ作用があるので望ましい。
【００２８】
又は、前記構成の切断部５３に替えて、曲折芯材５２として、２枚の段ボールプラスチック、又は、２枚のベニヤ板等を使用し、それらの段ボールプラスチック又はベニヤ板等を接合部（曲折部）の幅をとり、それらの段ボールプラスチック又はベニヤ板等の両側を縫合又は接着剤で接合形成して、曲折可能に構成してもよい。即ち、２つの袋を形成し、それらの中に段ボールプラスチックを入れた状態にする。
前記のように面Ｅ、Ｇを形成すると、前記曲折部において、所謂、２つ折りができる。
【００２９】
そして、特別容器５０は、図８（Ｃ）に示すように、面Ｆ、Ｈには芯材１３を、面Ｅ、Ｇには中心に切断部５３を形成の曲折芯材５２を内包して各面を強固に、且つ、稜部５５ａ〜５５ａ’で曲折可能に形成するために、稜部５５ａ〜５５ａ’にあたる位置で隙間を形成して並べ、合成樹脂製（ポリエチレン、ポリプロピレン樹脂等）の上シート５６ａと下シート５６ｂで挟着し、上シート５６ａ（下シート５６ｂ）の両端部及び面ＥとＦ、ＦとＧ、ＧとＨ、ＨとＥの稜部５５ａ〜５５ａ’間を縫合又はヒートシールや接着剤等で結合して形成する。
尚、この特別容器の底面５８は前記収納体１００、醗酵容器本体１０等に対応して製作し、例えば、前記収納体１００に対しては、空気は通すが、生ゴミと共に醗酵してできる土等を通さない程度の隙間を有するメッシュ製シート材を張って形成する。
【００３０】
この特別容器５０の各面（前面、裏面、左右側面）は、前記芯材１３と曲折芯材５２を内包してあるので強固であり、箱状に立設させることができる一方、稜部５５ａ〜５５ｄと、面Ｅ、Ｇは曲折芯材５２の切断部５３で曲折可能であるので、図８（Ｂ）に示す姿態に、面Ｅ、Ｇの切断部５３を内側に折り畳む２つ折りで折り畳むことができる。
このため、この特別容器５０は平坦状となり、運搬時及び収納時に嵩張らない利点がある。又、折り畳む面Ｅ、Ｇにおいて、その折り畳む線の左右に渡って、ゴムバンド５４の端部を縫いつけておくと、箱状にするとき、面Ｅ、Ｇが平面になり易いので望ましい。
【００３１】
以上のように、本発明における生ゴミを醗酵させるには、空気を十分に補給可能に容器を形成すると共に、発熱体３０を介して醗酵温度の維持を図ることが必要であり、特に、醗酵容器本体の底部から空気を取り入れ、上部から排出する構成は、簡便な醗酵条件である。
【００３２】
次に、図９を参照して、他の構成の醗酵容器について説明する。
この醗酵容器本体２００は、前記発熱体３０を装着しないものであり、この醗酵容器本体２００の上開口部を覆う蓋２６０と醗酵容器本体２００の底部に収納する通気枠体２４０で構成し、生ゴミを、直接、醗酵容器本体２００に投入して醗酵させることも可能であり、前記生ゴミと醗酵媒体を収納の収納体１００を収納して醗酵させることも可能である。
この醗酵容器本体２００は、前記醗酵容器本体１０と同じ構成であり、図３に示す構成と同じであり、図８に示すように、平坦状にするために中央で曲折可能に構成したり、或いは、図９（Ｂ）に示すように隅部２００ａと隅部２００ｂと合わせて平坦状に折り畳み可能に構成してもよいし、或いは、折り畳み不可に構成してもよい。
【００３３】
又、蓋２６０の構成は、図２に示す構造とほぼ同じであるが、醗酵容器本体２００の上開口部２００Ａに着脱が容易に、上蓋２６０ｂと下蓋２６０ａの側面を堅固に製作し、上蓋２６０ｂと下蓋２６０ａの側面の端部で縫合結合してあり、下蓋２６０ａの上に上蓋２６０ｂを被せることが可能になっている。
そして、下蓋２６０ａは、光通過がよい透明又は半透明で、空気が通過可能な合成樹脂で製作してある一方、上蓋２６０ｂは空気の通過が不可の材料で製作してある。尚、下蓋２６０ａの側部の内側には、醗酵容器本体２００の上開口部に密着可能に、ゴム、スポンジ等の柔軟材が付設してある。
【００３４】
又、蓋２６０が下蓋２６０ａと上蓋２６０ｂで構成してあるのは、醗酵容器本体２００を屋外に設置したとき、太陽光を採光するとき上蓋２６０ａを容易に開けることができ、雨が降ったとき閉じることを可能にすると共に、図６（Ｂ）に示すように、下蓋２６０ａと上蓋２６０ｂの間に、吸水性樹脂等による水吸収機能と活性炭等による不快な醗酵臭の吸着除去機能の少なくとも一方を備えるマット６５を挿入するためであり、このマット６５は保温機能も備える。
【００３５】
又、通気枠体２４０は、開口を有する箱状で、前記醗酵容器本体２００の底部に内挿可能な大きさで、側面（及び底部の隙間）から空気が流入し、上面から通気可能な合成樹脂シート等が張設して、生ゴミ（又は収納体１００）を載置可能に形成してある。
又、この通気枠体２４０の側面には、醗酵容器本体２００を支持可能なコ字状の支持体２４１が、高さ方向のほぼ中央に縫い付けてあり、醗酵容器本体２００の底部を支持体２４１に装着したとき、通気枠体２４０の一部の側面（下側）から、空気の流入が可能になっている。
【００３６】
尚、醗酵容器本体２００を大型化するときには、通気枠体２４０の上に直接、或いは、通気枠体２４０の上に敷いた通気性を有するシートの上に、生ゴミ等が載置するため、通気枠体２４０を補強する必要がある。
そこで、この補強策として、図９（Ｃ）の右図に示すように、大きな通気枠体２４０ａと小さな通気枠体２４０ｂを製作し、小さな通気枠体２４０ｂを大きな通気枠体２４０ａの中央に内挿（重ね合わせ）して、縫合等で一体化するという、簡便な作業で補強することができる。尚、小さな通気枠体２４０ｂの数は、大きな通気枠体２４０ａの大きさに対応して、適宜選定する。
【００３７】
この様に、大きな通気枠体２４０ａと小さな通気枠体２４０ｂを作成して、一体化して通気体２４０を作成することは、縫合等による結合による補強を可能にし、大きな通気枠体２４０ａにかかる重量は、小さな通気枠体２４０ｂで支持分散されるので、所謂、潰れることがない。
尚、大きな通気枠体２４０ａの他の補強には、予め、ベニヤ板等を格子状に形成の補強枠を、大きな通気枠体２４０ａの内側に挿入する等であってもよい。
【００３８】
次に、直接、生ゴミを醗酵容器本体２００に投入して醗酵させる作業について説明するが、前記収納体１００で生ゴミを醗酵する要領とほぼ同じである。
先ず、通気枠体２４０の上に通気性を有するシートを載置し、図１０に示すように、醗酵容器本体２００の底部を通気枠体２４０に形成の支持体２４１に装着し、下蓋２６０ａを醗酵容器本体２００の上開口部に被せて醗酵容器の準備をする。
尚、通気枠体２４０の上に通気性を有するシート（図示略）を載置するのは、生ゴミにによる通気枠体２４０の上面の通気性が悪くなるのを、このシートを取り替えることによって、簡便に確保可能にするためであるので、通気枠体２４０を適宜の間隔で洗浄等をするならば、必ずしも、シートを敷く必要がない。
【００３９】
発生した生ゴミ１２０は、先ず、生ゴミ１２０、次に、醗酵媒体である醗酵培土１２０ａ、米ぬか１２０ｂの順に、下蓋２６０ａを開いて、醗酵容器本体２００に投入した後に、よくかき混ぜ、更に、醗酵培土１２０ａで覆って、下蓋２６０ａを閉じる。
次に、晴れた日には、上蓋２６０ｂを開いて、醗酵容器本体２００を屋外におくと、下蓋２６０ａの上面から採光して醗酵温度を高めて、醗酵が促進する。尚、この下蓋２６０ａを閉じておくのは、虫等の醗酵容器本体内への進入を防ぐためである。
生ゴミが醗酵を開始すると、通気枠体２４０の側面から空気を取り入れ、通気枠体２４０の上面から生ゴミに供給され、醗酵によって発生した水蒸気は、醗酵容器本体の下蓋２６０ａから水蒸気含有の空気として排出され、良好な空気循環の状態で醗酵する。
尚、雨が降ってきたときには上蓋２６０ｂを閉じることによって、醗酵容器本体２００内への雨の進入を防止する。
【００４０】
次に、新たな生ゴミが生じたときには、前記と同様の作業を行い、以後、この過程を、醗酵容器本体が満杯になるまで繰り返す。
そして、醗酵容器本体２００が満杯になったら、醗酵容器本体２００を通気枠体２４０から離脱させて、醗酵分解済みの生ゴミを取出し、この醗酵分解済みの生ゴミに米ぬか又は廃食油、或いは双方をそれぞれ２０％位まで混ぜて、この混合物と醗酵分解済みの生ゴミを１：１の割合に混ぜて、醗酵培土１２０ａとして再利用する。
又は、醗酵容器本体内の醗酵分解済みの生ゴミに、鹿沼土や赤玉土を１：２に混ぜ合わせると、プランター等の植物生育用として利用できる。又、醗酵分解済みの生ゴミは未乾燥状態で、直接、畑にまいてもよい。
以上のように、簡便な構成の醗酵容器本体２００は、直接、生ゴミ等を収納して醗酵させてもよいが、前記生ゴミ等を収納の収納体１００を通気枠体２４０の上に載置して醗酵させてもよい。
【００４１】
尚、前記の醗酵容器本体と通気枠体の構成は、醗酵容器本体と通気枠体の製作や運搬がし易いために、又、収納体や醗酵分解済みの生ゴミが取出し易く、又、醗酵容器本体の下部から空気の流入を確保する為の掃除がし易い等のために醗酵容器本体と通気枠体に分離して構成してあるが、醗酵容器本体内に通気枠体を形成して一体で構成してもよい。又、発熱体３０は、図６（Ｂ）に示すように、通気枠体４０に載置可能に構成する他、通気枠体４０の下に設置する構成であってよいし、他の場所に設置して温風を醗酵容器本体に流入する等の構成であってもよい。
【００４２】
次に、図１１、１２を参照して、他の構成の醗酵容器について説明する。
この醗酵容器本体２００は、発熱体３０を装着しないものであり、この醗酵容器本体２００の上開口部２００Ａを覆う蓋２６０Ａと醗酵容器本体２００の底部に収納する通気枠体２４０で構成し、生ゴミと醗酵媒体を収納の醗酵内袋２９５を介して醗酵させる。
【００４３】
図１１は、醗酵容器の構成部品図であり、前記と同じ部品には同じ符号を付して、詳細説明を略す。
筒状の醗酵容器本体２００は、上開口部と下開口部を形成の筒状の図３に示す醗酵容器本体１０と同じ構成であり、図８に示すように、平坦状にするために中央で曲折可能に構成したり、或いは、図９（Ｂ）に示すように隅部２００ａと隅部２００ｂと合わせて平坦状に折り畳み可能に構成してもよいし、或いは、折り畳み不可に構成してもよい。
又、この醗酵容器本体２００の内側の４面には、後述の醗酵内袋２９５を固定するための着脱自在の、所謂、マジックファスナー（登録商標）２８１が取り付けてある。
【００４４】
醗酵容器本体２００の上開口部２００Ａを覆う、箱状開口部を有する蓋２６０Ａは、図９に示す構造と同じで、天井部が光透過性がよい透明又は半透明で、空気が通過可能な合成樹脂等で製作してあり、後述のカバー２９０を着脱可能にすると共に、後述の開口部２９０ａの開口度の調整可能に、前後面の内側に着脱体（マジックファスナー）２８０が取り付けてある。
又、この蓋２６０Ａの上に取り付けるカバー２９０は、天井部が光透過性がよい透明又は半透明の合成樹脂等で製作し、箱状開口部を有し、蓋２６０Ａを覆い被せて、雨が入るのを防止する作用を果たすと共に、両側に通気可能な開口部２９０ａを形成して、前後内側に取付けの着脱体（マジックファスナー）２９０ｂと前記着脱体２８０とで、前記開口部２９０ａの開口度調整を可能に構成してある。
尚、前記蓋２６０Ａに取付けの着脱体は、醗酵容器本体２００の外面に形成してもよい。
【００４５】
醗酵内袋２９５は、通気可能な合成樹脂等で開口部を有し、醗酵容器本体２００に収納可能な大きさに形成してあり、外側の４面には、前記醗酵容器本体２００の内側に取付けの着脱体（マジックファスナー）２８１と着脱可能な着脱体（マジックファスナー）２９５ａが取り付けてある。
そして、この醗酵内袋２９５は、醗酵容器本体２００に挿入し、着脱体２９５ａと着脱体２８１で結合固定し、醗酵内袋２９５を外側に折り曲げて使用することによって、生ゴミ等を投入したとき、醗酵容器本体２００と醗酵内袋２９５の隙間に生ゴミ等が入るのを防止できる。
又、通気枠体２４０は、前記図９に示すものと同じ構成であるので、説明を略す。
【００４６】
次に、前記構成の醗酵容器の使用方法について説明するが、図９、図１０に示すものとほぼ同じであり、相違する点を重点に説明する。
先ず、通気枠体２４０の上に通気性を有するシートを載置し、図１２に示すように、醗酵容器本体２００の底部を通気枠体２４０に形成の支持体２４１に装着し、醗酵内袋２９５を醗酵容器本体２００内に収納し、蓋２６０Ａを醗酵容器本体２００の上開口部２００Ａに被せて醗酵容器本体２００の準備をする。
【００４７】
発生した生ゴミ１２０は、先ず、生ゴミ１２０、次に、醗酵媒体である醗酵培土１２０ａ、米ぬか１２０ｂの順に、蓋２６０Ａを開いて、醗酵容器本体２００に投入した後に、よくかき混ぜ、更に、醗酵培土１２０ａで覆って、蓋２６０Ａで閉じる。
次に、晴れた日には、醗酵容器本体２００を屋外におくと、蓋２６０Ａの上面から採光して醗酵温度を高めて、醗酵が促進し、醗酵で生ずる水蒸気含有の空気は蓋２６０Ａの天井部から放出される。
【００４８】
尚、雨が降ることへの対策として、予めカバー２９０を取り付けておくと、雨が醗酵容器本体２００内への進入を防止でき、醗酵に悪影響を与えない。又、このカバー２９０は、着脱体２８０と着脱体２９０ｂによって、開口部２９０ａの高さ調整が可能であり、醗酵で生ずる水蒸気含有の空気は、蓋２６０Ａの天井部を経て開口部２９０ａから放出される。
又、新たな生ゴミが生じたときには、前記と同様の作業を行い、以後、この過程を、醗酵内袋２９５が満杯になるまで繰り返す。そして、満杯になった醗酵内袋２９５を取り出して、通光可能で通気性がある透明の合成樹脂製の袋に入れ、屋外又は屋内で熟成させる。
尚、この醗酵内袋２９５内で生ずる醗酵済みの生ゴミの処理は、前記と同じであるので説明を略す。
【００４９】
図１３、１４は他の構成の醗酵容器であり、図１１、図１２で示す醗酵容器と同じ作用をする部品には同じ符号を付して、詳細説明を略す。
醗酵容器本体２００の内側には、醗酵容器本体２００を通気枠体２４０の上に載置したとき、通気枠体２４０の下部に隙間（空気流入可能）を形成可能な位置に、支持体３００が取り付けてある。
この支持体３００は、芯材２９９を合成樹脂シート３０１等で覆って製作され（図１４参照）、この芯材２９９は、図３に示す上板１３ａと下板１３ｂの間に仕切壁１３ｃで挿通孔１３ｄを形成し、断面係数が大きく強固で軽量である、所謂、段ボールプラスチックと称する部材を使用し、裏面側の曲折部１３ｅで上板１３ａを残して形成することによって、曲折部１３ｅでＬ字状と直線状の姿態、即ち、ヒンジ作用を有する。そして、支持体３００は縫製等を介して醗酵容器本体２００の内側に、通気枠体２４０の側部からの通気を確保可能な位置に取り付ける。
従って、この醗酵容器本体２００は、Ｌ字状の姿態の支持体３００で通気枠体２４０の上に載置することができるので、通気枠体２４０に形成の醗酵容器本体２００を支持するコ字状の支持体２４１が不要となる。
尚、前記支持体３００は、段ボールプラスチックと称する部材である他に、曲折可能な樹脂シートや金具等であってもよい。
【００５０】
次に、前記構成の醗酵容器の使用方法について説明するが、前記図１１、図１２に示す醗酵容器とほぼ同じであり、相違する点について説明する。
先ず、通気枠体２４０の上に通気性を有するシート（必ずしも必要でない）を載置し、醗酵容器本体２００を通気枠体２４０の上に載置する。このとき、醗酵容器本体２００は、Ｌ字状の支持体３００で支持され、通気枠体２４０の側部から空気流入が可能となる。
そして、醗酵内袋２９５を醗酵容器本体２００内に収納し、蓋２６０Ａを醗酵容器本体２００の上開口部２００Ａに被せて醗酵容器本体２００の準備をする。
【００５１】
次に、発生した生ゴミ１２０の処理は、前記と同様に醗酵内袋２９５で行い、醗酵内袋２９５が満杯になったら、醗酵容器本体２００を持ち上げる。この時、醗酵容器本体２００の内側に取付けのＬ字状の支持体３００は、曲折可能であるので、直線状になって、円滑に、醗酵内袋２９５を通気枠体２４０の上に載置した状態で、取り外すことができる（図１４（Ｂ））。以後、この醗酵内袋２９５の処理は、前記と同じであるので、説明を略す。
以上のように、醗酵容器本体２００を通気枠体２４０の上に載置可能であり、且つ、醗酵内袋２９５を醗酵容器本体２００から容易に離別させることができる。
【００５２】
尚、本発明の醗酵容器に関する前記構成は、種々の生ゴミを醗酵させるものであり、前記開示した部品を適宜選択したり、その部品の配置を考慮したりして、生ゴミの醗酵条件を満たす醗酵容器に構成可能であることはいうまでもない。
又、前記醗酵媒体における「米ぬか」に替えて、米ぬか（５００ｇ）、廃食油（１００ｇ）及び石灰窒素（５０ｇ）を混合したものであってもよい。
この米ぬかは、微生物、乳酸菌、醗母菌、枯草菌等の醗酵分解菌の増殖栄養源であり、水分を１５％含有している。又、廃食油も同様に醗酵分解菌の増殖栄養源であるが、水分は殆どない。又、石灰窒素はカルシュームシアナミドと炭素との混合物であって、生ゴミなどに発生する不快虫や卵を死滅させる殺菌、殺虫作用をもつ塩基性の肥料である。
そして、この石灰窒素に含有の窒素成分は醗酵菌の栄養源としても有効であり、Ｃ（炭素）／Ｎ（窒素）のモル比は１０〜２０の割合がよく、生ゴミはＮ分が少なく、Ｎの増分に寄与するし、生ゴミが醗酵後に生ずる堆肥として、窒素肥料として機能する。
【００５３】
次に、図１５は醗酵容器３００の構成部品図、図１６は醗酵容器３００の全体図であり、前記生ゴミを収納の収納体１００が所定量になった後に、醗酵熟成させる醗酵容器である。
この醗酵容器３００は、本体枠体３０１、収納本体３１０及び通気枠体３２０で構成してある。本体枠体３０１は、各稜部３０２で折り畳み可能に形成し、上下に開口部３０３を有する筒体であり、収納本体３１０に内装して４角状に形成可能にするものである。
尚、この本体枠体３０１は、透光性の樹脂で製作してあり、例えば、段ボールプラスチックを透明樹脂シート等の縫製で覆っている。又、この本体枠体３０１は必ずしも必要でない。
【００５４】
収納本体３１０は、略立方体状であり、底部は通気性の樹脂で形成されており、側面３１１は段ボールプラスチックを覆う状態で光透過性の樹脂シート等で形成してある。
尚、この側面３１１の上部には、内側（開口部３１３側）に、容易に曲折可能に、側面３１１の長さを僅かに短く形成する縫製部３１１ａが形成してあると共に、４角状に形成するために稜部３１１ｂの上部でも縫製してある。
又、開口部３１３を覆うカバー体３１８は、開口部３１３の幅より幅広に形成して、側面３１１の稜部で縫合してあると共に、カバー体３１８と側面３１１には着脱自在のマジックファスナー（登録商標）３１９が取り付けてある。
又、通気枠体３２０は、前記収納本体３１０を支持し、収納本体３１０の底部に空気を送気可能に、通気枠体３２０の上面と側面は通気性を有する材料で形成してある。尚、この通気枠体３２０の形状は直方形の他、円形等であってもよく、収納本体が支持でき、通気性を確保できればよく、合成樹脂等の一体成形品であってもよい。
【００５５】
次に、前記醗酵容器３００を使用して、生ゴミを収納の収納体１００の醗酵について、醗酵容器３００の全体を示す図１６（Ａ）、平面を示す図１６（Ｂ）を参照して説明する。
醗酵容器３００は、通気枠体３２０の上に収納本体３１０を置き、本体枠体３０１を収納本体３１０内に装着すると、カバー体３１８を開いた直方体状になる。そこで、生ゴミ１２０等を収納した収納体１００（図１５参照）を収納本体３１０に入れた後に、カバー体３１８をマジックファスナー（登録商標）３１９で閉鎖する。尚、このマジックファスナー（登録商標）３１９に替えて、バックル等で装脱着可能に構成してもよい。
【００５６】
側面３１１の上部を開口部３１３側に織り込み、カバー体３１８で閉鎖すると、図１６（Ａ）に示すように、開口部３１３の頂部は、パオのように、側面３１１とカバー体３１８とで覆われた形状になるが、収納本体３１０内で醗酵によって生ずる水蒸気を外部に排出可能な通気孔３３０が形成される。
【００５７】
従って、醗酵容器３００を屋外に置くと、外光によって、収納本体３１０内は昇温され、生ゴミが醗酵し、新たな空気は通気枠体３２０の側部から上面に流れ、収納本体３１０の底部から収納体１００に供給される。
そして、収納体１００で発生する水蒸気はカバー体３１８の下部に形成の通気孔３３０から排出され、簡便な構成の醗酵容器３００でありながら、外光を介して、保温を保ち、良好な醗酵を得ることができる。
又、屋外に設置の醗酵容器３００は、雨が降っても、カバー体３１８によって、雨の進入を防ぎ、良好な醗酵を可能にする。
【００５８】
次に、図１７（Ａ）に示す醗酵容器４５０は、前記醗酵容器３００の改良案であって、醗酵容器４５０の全体図、図１７（Ｂ）は一部切り欠き図、図１９（Ａ）は生ゴミを収納の収納体１００を入れて醗酵中の醗酵容器４５０の全体図、図１９（Ｂ）は醗酵容器４５０を折り畳んでほぼ平面状態にした図を参照して醗酵容器について説明する。
この醗酵容器４５０の下部（容器本体）は、出願者自身が権利を取得した特許第２９６８１９３号と同じ構造であり、後記で詳述するが、所謂、ひねり倒すことによって、ほぼ平面的に折り畳み可能な構造を採用している。
この様に折り畳み可能にするためには、醗酵容器４５０を構成する１２個の各稜部Ｓ（頂点４５２ａ〜頂点４５２ｂ、頂点４５２ａ〜４５３ａ、……等）は、予めポリエチレン等の樹脂体を縫製や熱融着で製作のチューブにＦＲＰ等のポール（芯材）を内挿した梁を縫製等で結合することによって、各頂点４５２ａ、４５２ｂ、…４５３ａ、４５３ｂ、…は曲折可能に形成され、正面等の各面Ａ、Ｂ、Ｃ…を正方形状に構成の箱状にすることができる。
【００５９】
又、前記（頂点４５２ａ〜４５２ｄ）で形成の開口部４５９には、害虫等の進入を防止するために、通気可能な細かい網（約５０メッシュ以上が好ましい）で構成の防虫網４６０が、端部をＣ面の上稜部に取り付けてある。
尚、この防虫網４６０の端部には、所謂、着脱自在のマジックファスナーが取り付けてあり、開口部４５９を閉鎖可能になっていると共に、取り外すことによって開口可能である。
又、図１８に示すように、防虫網４６０は、後述する延長材４６１ａ、４６１ｂ、４６１ｄを隣接のマジックファスナー４６２を結合して、開口部を小さくした状態で閉鎖可能に構成することであってもよい。
【００６０】
又、前記（頂点４５２ａ〜４５２ｄ）で形成の開口部４５９の３つの稜部には、開口部４５９の面積を小さくするためと後述の隙間３３０を形成するために、曲折可能な柔軟性の延長材４６１ａ、４６１ｂ、４６１ｄが上方向に延設してあると共に、その開口部４５９を簡便に小さくするために、各延長材４６１ａ、４６１ｂ、４６１ｄの頂部から少し離反した箇所に、相互に結合（離脱）可能なマジックファスナー４６２が取り付けてある。
即ち、隣接の面に取付けのマジックファスナー４６２を結合すると、開口部４５９は、図１７（Ａ）に示すように、絞られた状態になって、開口部４５９の面積を容易に狭くすることができ、害虫の進入口を小さくできる。尚、この小さく絞られた状態の開口部４５９の面積は、醗酵過程で生ずる水蒸気を放出可能な大きさである。
尚、前記マジックファスナー４６２を介して開口部４５９を絞る状態にすると、閉鎖状態がうまくできないので、虫等の出入を十分に防止できない。そこで、このマジックファスナー４６２に替えて、延長材４６１ａ、４６１ｂ、４６１ｄに、醗酵過程で生ずる水蒸気を放出可能な通気性を確保する素材を使用し、頂部を紐等で縛って閉鎖する構成、或いは、雄筒体とこの雄筒体に内挿入体を挿入し、バネで構成の通し固定具（ストッパー）に形成の貫通孔に紐を通し、紐を引っ張ることによって閉鎖固定する構成（図示略）であってもよい。
又、前記開口部４５９の全体を覆うカバー体３１８が、Ｃ面の外側に取り付けてあると共に、開口部４５９を閉鎖するときに使用するために、容器には着脱可能な、所謂、マジックファスナー３１９が取り付けてある。或いは、このマジックファスナー３１９に替えて、バックル等を用いてもよい。
【００６１】
次に、前記構成の醗酵容器４５０の使用について、図１７（Ａ）、図１８（Ａ）（Ｂ）、図１９（Ａ）（Ｂ）を参照して説明する。
図１７（Ａ）は、前記生ゴミを収納の収納体１００を入れるときの姿態であり、カバー体３１８を開くと共に、防虫網４６０も開いた状態である。醗酵容器の各稜部Ｓ（頂点４５２ａ〜頂点４５２ｂ、頂点４５２ａ〜４５３ａ等）は、弾性力があるＦＲＰ等のポールで支持（結合）されているので、この醗酵容器４５０を、折り畳んだ図１９（Ｂ）に示す状態から図１７（Ａ）に示すように、箱状（立方体）にすることができる。
【００６２】
尚、開口部４５９の全体を開くために、隣接面に形成のマジックファスナー４６２は離した状態にする。そして、この状態で、収納体１００を入れ、その後、防虫網４６０に設けたマジックファスナー（図示略）を開口部に設けたマジックファスナー（図示略）に結合して、開口部４５９を閉鎖する。この開口部４５９を閉鎖することによって、収納体１００が醗酵を開始しても、害虫は収納体１００に寄り付くことができない。
次に、隣接面に形成のマジックファスナー４６２を相互に結合して、開口部４５９の開口面積を絞る。又は、図１８（Ａ）に示すように、マジックファスナー４６２を相互に結合して、開口部４５９の開口面積を絞り、予め小さく形成の防虫網４６０を結合して覆う。そして、その後、カバー体３１８を被せることによって、図１９（Ａ）のように、カバー体３１８が半筒状となり、両側部に隙間３３０が形成される。この隙間３３０は、前記絞られた開口部４５９と連通し、収納体１００の醗酵によって生ずる水蒸気の出口となる。
【００６３】
次に、醗酵容器を使用しない収納状態にする方法について説明する。この醗酵容器の各頂点（４５２ａ〜４５２ｄ、４５３ａ〜４５３ｄ）は、曲折可能に形成してあるので、頂点４５３ｂと頂点４５３ｄを結ぶ対角線を内側に織り込むと同時に、９０゜ひねりながら頂点４５３ｃ、４５２ｄ及び４５３ａ、４５２ｂを結ぶ対角線内側に折り込んで折り畳むと、図１９（Ｂ）に示すように、頂点４５２ａと頂点４５３ｂ、頂点４５３ａと頂点４５３ｃ、頂点４５２ｃと頂点４５３ｄが折り重なり、ほぼ平坦に折り畳むことができる。
以上のように、図１７、１８、図１９（Ａ）に示す醗酵容器４５０は、未使用状態では、図１９（Ｂ）に示すように、ほぼ平坦な姿態にすることができるので、輸送時や未使用状態に於て収納場所をとらないし、使用時には図１７（Ａ）、図１８（Ａ）に示すように、立方体として使用することができる。
【００６４】
尚、前記醗酵媒体は、ぶどう糖（５％）、廃食油（７％）、フスマ（又は米糠）（２０％）、とうもろこし芯砕粒（５５％）、石灰窒素（３％）、完熟堆肥（１０％）の混合物を使用すると好ましい。又、カッコ内の成分量は、この値に限定されず、適宜の範囲で適用可能であることは言うまでもない。
このぶどう糖、廃食油、フスマ（又は米糠）、とうもろこし芯砕粒は、生ゴミと醗酵媒体に含まれる各物質毎の炭素数に対応して有効な作用を持つ。即ち、ぶどう糖は醗酵菌の初期易分解剤、廃食油は初期分解剤、フスマ（又は米糠）は醗酵菌の中期分解剤として機能させる。又、とうもろこし芯砕粒は醗酵菌の長期難分解剤として機能し、隙間空間を形成して通気作用をなして醗酵菌の酵素供給源であり、生ゴミの水分調整や醗酵臭吸着、醗酵熱保温作用をする。
又、石灰窒素は、殺虫作用が有ると共に、醗酵に必要な窒素分の供給源である。完熟堆肥は醗酵に関与する菌群剤であり、枯草菌、糸状菌、放線菌、担子菌等を含有し、有害菌が存在しないものを使用する。
【００６５】
尚、前記には種々の醗酵容器や醗酵分解菌等を記載したが、生ゴミの性質に応じて、これらを種々に組み合せて構成してもよいことはいうまでもないし、前記醗酵容器は生ゴミの醗酵容器に限定されず、ミニ温室等の他の目的に使用できる。
【００６６】
【発明の効果】
請求項１の生ゴミの醗酵容器は、下部から空気の流入が可能で、上部から醗酵で生ずる水蒸気含有の空気を排出可能に構成することによって、生ゴミと醗酵媒体を収納の収納体を、悪臭等の発生を抑制して醗酵させることができる。
又、請求項２の生ゴミの醗酵容器は、醗酵容器内で発生の水蒸気含有の空気を、蓋の裏面側から空間を通って、蓋の側部から排出可能であるから、多量の空気が排出できて、醗酵の促進を図ることができる。
請求項３の生ゴミの醗酵容器は、収納体を載置可能に醗酵容器内に発熱体を設置することによって、気温が低いときに醗酵を促進させることができる。
又、請求項４の醗酵容器は、生ゴミと醗酵媒体を直接に収納して、或いは、生ゴミと醗酵媒体を収納の収納体を収納して醗酵させるにあたって、醗酵容器と通気枠体と空気の通気が可能な下蓋と空気の通気が不可な上蓋という簡便な構成で、醗酵に要する空気は通気枠体から醗酵容器内に入り、醗酵で生ずる水蒸気は下蓋から排出して醗酵の促進を促すことができる。
請求項５の生ゴミの醗酵容器は、開口部に通気可能な蓋を被せ、更に、カバーを取り付けることによって、醗酵容器を屋外において醗酵させたとき、雨が降っても醗酵容器内に雨が入るのを防止するので、醗酵を阻害することがない。
又、請求項６の生ゴミの醗酵容器は、醗酵容器内に、生ゴミを収納可能な醗酵内袋を着脱自在に取り付けることによって、醗酵容器を汚すことなく醗酵させることができる。
請求項７の生ゴミの醗酵容器は、醗酵容器本体の内側に曲折可能な支持体を設けることによって、醗酵容器本体は支持体を介して通気枠体に載置可能であると共に、醗酵容器本体を醗酵内袋から離脱させるとき、支持体がほぼ直線状になり、容易に取り外すことができる。
又、請求項８の醗酵容器は、通気枠体３２０の上に光透過性の収納本体３１０を置き、光透過性の本体枠体３０１を収納本体３１０内に装着する。そして、収納本体３１０の側面を内側に織り込むと共に、カバー体３１８で開口部を閉鎖すると、通気枠体３２０から流入の空気が収納本体３１０及び通気孔３３０から排出可能であり、良好な醗酵を可能にする。
【図面の簡単な説明】
【図１】（Ａ）（Ｂ）は生ゴミを一時醗酵させる収納体と一時容器の断面図である。
【図２】（Ａ）は醗酵容器を構成する部品図、（Ｂ）は他の構成の蓋の正面断面図である。
【図３】醗酵容器本体の構成部品図である。
【図４】発熱体の斜視図である。
【図５】（Ａ）は発熱体の断面図、（Ｂ）は回路図である。
【図６】（Ａ）（Ｂ）は収納体と醗酵容器とで熟成醗酵過程を示す断面図である。
【図７】生ゴミの処理方法における系統図である。
【図８】（Ａ）は特別容器の全体図、（Ｂ）は折り畳む姿態図、（Ｃ）は製作図、（Ｄ）は曲折芯材を示す図である。
【図９】（Ａ）（Ｂ）（Ｃ）は醗酵容器を構成する部品図である。
【図１０】醗酵容器と蓋と通気枠体とで構成の全体図である。
【図１１】他の醗酵容器の構成部品図である。
【図１２】他の醗酵容器の全体図である。
【図１３】他の醗酵容器の構成部品図である。
【図１４】（Ａ）は他の醗酵容器の断面図、（Ｂ）は醗酵容器本体を取り外す操作を示す図である。
【図１５】他の構成の醗酵容器の部品図である。
【図１６】（Ａ）は醗酵容器の全体図、（Ｂ）は醗酵容器の平面図である。
【図１７】（Ａ）は醗酵容器の全体図、（Ｂ）は一部切り欠き図である。
【図１８】（Ａ）は醗酵容器の全体図、（Ｂ）は一部切り欠き図であり、図１７の防虫網とは構成を異にする。
【図１９】（Ａ）は生ゴミを収納の収納体を入れて醗酵中の醗酵容器の全体図、（Ｂ）は醗酵容器を折り畳んでほぼ平面状態にした図である。
【符号の説明】
１０　醗酵容器
３０　発熱体
４０　通気枠体
１００　収納体
１０１　一時容器
２００　醗酵容器
２６０　蓋
２６０ａ　下蓋
２６０ｂ　上蓋
２４０　通気枠体
【図１】
2004000869.tif 000003
【図２】
2004000869.tif 000004
【図３】
2004000869.tif 000005
【図４】
2004000869.tif 000006
【図５】
2004000869.tif 000007
【図６】
2004000869.tif 000008
【図７】
2004000869.tif 000009
【図８】
2004000869.tif 000010
【図９】
2004000869.tif 000011
【図１０】
2004000869.tif 000012
【図１１】
2004000869.tif 000013
【図１２】
2004000869.tif 000014
【図１３】
2004000869.tif 000015
【図１４】
2004000869.tif 000016
【図１５】
2004000869.tif 000017
【図１６】
2004000869.tif 000018
【図１７】
2004000869.tif 000019
【図１８】
2004000869.tif 000020
【図１９】
2004000869.tif 000021